(57)【要約】数字やアルファベットなどの記号を易しく表示するようにした手動型数字板及び手動型数字表示装置を提供する。  本発明に係る手動型数字板４は３°〜８°の勾配で傾いた８字形態の開口部５１が形成されたフレーム５８と、８字形態の開口部５１の各単位区間のそれぞれに対応する７個のセグメント６０と、セグメント６０のそれぞれを開口部５１の単位区間に回転可能に結合させる多数のヒンジ５７とを具備することを特徴とする。このような構成による本発明の手動型数字板４は、「８」セグメントを３°〜８°位の勾配で傾けることによって人間の認知特性を進めることができる。
2005527860.tif 000002
【特許請求の範囲】
【請求項１】
３°〜８°の勾配で傾いた８字形態の開口部が形成されたフレームと、
前記８字形態の開口部の各単位区間のそれぞれに対応する７個のセグメントと、
前記セグメントのそれぞれを前記開口部の単位区間に回転可能に結合させる多数のヒンジとを具備することを特徴とする手動型数字板。
【請求項２】
全面にマトリックス形態に配置される多数の突起が形成されて背面に多数の組合せ用ボスがそれぞれ形成される多数の基本ボードと、
互いに異なる前記基本ボードのそれぞれに形成された前記組合せ用ボスに共通に結合される前記基本ボードを結合させるための多数の結合ブロックと、
前記基本ボードの全面突起を通じて前記基本ボードに着脱可能に結合されて全面に単位区間ごとに手動で回転される８セグメントがそれぞれ形成された多数の数字板とを具備することを特徴とする手動型数字表示装置。
【請求項３】
請求項２において、
前記基本ボード及び前記多数の基本ボードが組合された組合せボードの全面突起を通じて結合されて空白の平坦面を前記基本ボード及び前記組合せボード上に形成する多数の空白ブロックと、
前記基本ボード及び前記多数の基本ボードが組合された組合ボードの全面突起を通じて結合されて前記基本ボード及び前記組合ボード内で垂直方向と水平方向を区画するための多数のリーブをさらに具備することを特徴とする手動型数字表示装置。
【請求項４】
請求項２において、
前記８セグメントのそれぞれは前記数字板のそれぞれで３°〜８°の勾配で傾いたことを特徴とする手動型数字表示装置。
【請求項５】
請求項２において、
前記結合ブロックのそれぞれは互いに異なる前記基本ボードのそれぞれに形成された前記組合せ用ボスに着脱可能に結合される多数の溝を具備することを特徴とする手動型数字表示装置。
【請求項６】
請求項２において、
前記結合ブロックは、互いに異なる２個の前記基本ボードを共通で結合させるための小結合ブロックと、
互いに異なる４個の前記基本ボードを共通で結合させるための大結合ブロックを具備することを特徴とする手動型数字表示装置。
【請求項７】
請求項３において、
前記リーブは、前記基本ボード及び前記多数の基本ボードが組合された組合ボードの全面突起を通じて結合されて前記基本ボード及び前記組合ボード内から垂直方向に区画するための垂直リーブと、
前記基本ボード及び前記多数の基本ボードが組合された組合ボードの全面突起を通じて結合されて前記基本ボード及び前記組合ボード内から垂直方向に区画するための水平リーブとを具備することを特徴とする手動型数字表示装置。
【請求項８】
請求項７において、
前記垂直リーブは、
前記基本ボード及び前記多数の基本ボードが組合された組合ボードの全面突起を通じて結合されて小区間単位で前記基本ボード及び前記組合ボード内で垂直分割するための小区間垂直リーブと、
前記基本ボード及び前記多数の基本ボードが組合された組合ボードの全面突起を通じて結合されて大区間単位で前記基本ボード及び前記組合ボード内で垂直分割するための大区間垂直リーブとを具備することを特徴とする手動型数字表示装置。
【請求項９】
請求項８において、
前記大区間垂直リーブは、
半円形態の頭部と、
前記頭部で伸張される垂直支持部と、
前記垂直支持部の背面に形成されて前記基本ボード及び前記多数の基本ボードが組合された組合ボードの全面突起を通じて結合される多数の溝とを具備することを特徴とする手動型数字表示装置。
【請求項１０】
請求項７において、
前記水平リーブは、
半円形態の頭部と、
前記頭部で等間隔に伸張された垂直支持部と、
前記垂直支持部の背面に形成されて前記基本ボード及び前記多数の基本ボードが組合された組合ボードの全面突起を通じて結合される多数の溝とを具備することを特徴とする手動型数字表示装置。
【請求項１１】
請求項３において、
前記空白ブロックには文字列の印刷した印刷物が付着することを特徴とする手動型数字表示装置。
【発明の詳細な説明】
【技術分野】
【０００１】
本発明は手動型数字表示装置に関することで、特に数字やアルファベットなどの記号を易しく表示するようにした手動型数字板とこれを利用した手動型数字表示装置に関するものである。
【背景技術】
【０００２】
一般的に、ガソリンスタンドと汽車駅及びバスターミナルなどで料金案内用で使われる手動型数字表示装置は必要な数字を入れ替えて他の数字を表示するとか数字が印刷した印刷物を入れ替えて表示している。このために、従来の手動型数字表示装置は多数の数字板が必要になる。これにより従来の手動型数字表示装置は０から９まで数字板に対する管理の難しい短所がある。
【０００３】
一方、従来の自動型数字表示装置は数字を構成する各セグメントを電気的に制御して数字を表示して、銀行の為替表示などに利用されている。このような、自動型数字表示装置は駆動のための別途の電源が要するだけではなく製造費用の大きい短所がある。
【発明の開示】
【発明が解決しようとする課題】
【０００４】
したがって、本発明の目的は数字やアルファベットなどの記号を易しく表示するようにした手動型数字板とこれを利用した手動型数字表示装置を提供することにある。
【課題を解決するための手段】
【０００５】
前記目的を達成するために、本発明の手動型数字板は３°〜８°の勾配で傾いた８字形態の開口部が形成されたフレームと、前記８字形態の開口部の各単位区間のそれぞれに対応する７個のセグメントと、前記セグメントのそれぞれを前記開口部の単位区間に回転可能に結合させる多数のヒンジとを具備することを特徴とする。
【０００６】
また、本発明に係る手動型数字表示装置は、全面にマトリックス形態に配置される多数の突起が形成されて背面に多数の組合せ用ボスがそれぞれ形成される多数の基本ボードと、互いに異なる前記基本ボードのそれぞれに形成された組合せボスに共通に結合される前記基本ボードを結合させるための多数の結合ブロックと、前記基本ボードの全面突起を通じて前記基本ボードに着脱可能に結合されて全面に単位区間ごとに手動に回転される８セグメントがそれぞれ形成された多数の数字板とを具備することを特徴とする。
【０００７】
本発明の手動型数字表示装置において、前記基本ボード及び前記多数の基本ボードが組合された組合せボードの全面突起を通じて結合されて空白の平坦面を前記基本ボード及び前記組合せボード上に形成する多数の空白ブロックと、前記基本ボード及び前記多数の基本ボードが組合された前記組合せボードの全面突起を通じて結合されて前記基本ボード及び前記組合せボード内で垂直方向と水平方向を区画するための多数のリーブをさらに具備することができる。
【０００８】
本発明の手動型数字表示装置は、前記８セグメントのそれぞれは前記数字板のそれぞれで３°〜８°の勾配で傾いていることが望ましい。
本発明の手動型数字表示装置では、前記結合ブロックのそれぞれは互いに異なる前記基本ボードのそれぞれに形成された前記組合せボスに着脱可能に結合される多数の溝を具備することができる。
【０００９】
本発明の手動型数字表示装置では、前記結合ブロックは、互いに異なる２個の前記基本ボードを共通で結合させるための小結合ブロックと、互いに異なる４個の前記基本ボードを共通で結合させるための大結合ブロックとを具備することを特徴とする。
【００１０】
本発明の手動型数字表示装置では、前記リーブは前記基本ボード及び前記多数の基本ボードが組合された組合せボードの全面突起を通じて結合されて前記基本ボード及び前記組合せボード内から垂直方向に区画するための垂直リーブと、前記基本ボード及び前記多数の基本ボードが組合された前記組合せボードの全面突起を通じて結合されて前記基本ボード及び前記組合せボード内から垂直方向に区画するための水平リーブとを具備することができる。
【００１１】
ここで、前記垂直リーブは、前記基本ボード及び前記多数の基本ボードが組合された組合せボードの全面突起を通じて結合されて小区間単位で前記基本ボード及び前記組合せボード内で垂直分割するための小区間垂直リーブと、前記基本ボード及び前記多数の基本ボードが組合された前記組合せボードの全面突起を通じて結合されて大区間単位で前記基本ボード及び前記組合せボード内で垂直分割するための大区間垂直リーブとを具備することを特徴とする。
【００１２】
前記大区間垂直リーブは、半円形態の頭部と、前記頭部で等間隔で伸張される垂直支持部と、前記垂直支持部の背面に形成されて前記基本ボード及び前記多数の基本ボードが組合された前記組合せボードの全面突起を通じて結合される多数の溝とを具備することができる。
【００１３】
前記水平リーブは、半円形態の頭部と、前記頭部で等間隔に伸張される垂直支持部と、前記垂直支持部の背面に形成されて前記基本ボード及び前記多数の基本ボードが組合された前記組合せボードの全面突起を通じて結合される多数の溝とを具備することができる。
本発明の手動型数字表示装置において、前記空白ブロックには文字列の印刷した印刷物が付着することができる。
【００１４】
上記目的外に本発明の他の目的及び特徴は添付図面を参照した実施の形態に対する説明を通じて明白に現われるようになる。
【発明の効果】
【００１５】
本発明によれば、数字やアルファベットなどの記号を易しく表示するようにした手動型数字板とこれを利用した手動型数字表示装置を提供することができる。
【発明を実施するための最良の形態】
【００１６】
以下、図１乃至図１１を参照して本発明の望ましい実施の形態に対して説明することにする。
図１及び図２を参照すると、本発明の実施の形態に係る数字板４は３°〜８°の勾配で傾いた８字形態の開口部５１が形成されたフレーム５８と、８字形態の開口部５１の各単位区間のそれぞれに対応する７個のセグメント６０と、セグメント６０のそれぞれを開口部５１の単位区間に回転可能に結合させる多数のヒンジ５７とを具備する。
【００１７】
フレーム５８の８字形態の開口部５１は人間の視覚特性による認知特性の低下を防止するためにおよそ３°〜８°の勾配を持つようになる。これは、人間の認知特性が、垂直するように表示されるデジット(Digit)及びアルファベットよりは所定の勾配で傾いて表示されるデジット及びアルファベットのほうが高いからである。
【００１８】
このような、フレーム５８の端は組立される補助フレーム６７の全面及び側面をくるむために垂直するように伸張されて所定角度に曲げられている。また、フレーム５８の背面にはヒンジ５７が挟まれるスリット６３と、フレーム５８と補助フレーム６７を結合させるための突起６１が形成される。
【００１９】
補助フレーム６７にはヒンジ５７を通じてスリット６３に挟まれた各セグメント６０の回転の時、各セグメント６０を干渉しないように回転空間７３が用意される。この回転空間７３は回転空間７３の周辺に所定高さに突出された突出部材７５により用意される。突出部材７５にはフレーム５８の突起６１が挿入される突起溝６５が形成される。これによって、フレーム５８と補助フレーム６７が組立されることによってフレーム５８は８字形態の開口部５１を持つようになる。
【００２０】
補助フレーム６７にはヒンジ５７を通じてスリット６３に挟まれた各セグメント６０の回転の時、各セグメント６０を干渉しないように回転空間７３が用意される。この回転空間７３は回転空間７３の周辺に所定高さに突出された突出部材７５により用意される。突出部材７５にはフレーム５８の突起６１が挿入される突起溝６５が形成される。これによって、フレーム５８と補助フレーム６７が組立されることによってフレーム５８は８字形態の開口部５１を持つようになる。
【００２１】
また、補助フレーム６７の背面には多数の四角突起５６が突出されて、それぞれの四角突起５６の背面には多数の溝７８が形成される。それぞれの四角突起５６に形成された多数の溝７８は後述される基本ボード(２a,２b,２c,２d)上に形成された４個の突起１４に着脱可能に結合される。
【００２２】
７個のセグメント６０はデジット及びアルファベットを表示するようにフレーム５８に形成された８字形態の開口部５１の各単位区間のそれぞれに対応するように結合される。各セグメント６０は色相に区分された表示部５２と非表示部５４を用意している。ここで、表示部５２は目に易しく入る色相に塗布されて、非表示部５４は各セグメント６０を回転させるための工具と接触される。例えば、表示部５２と非表示部５２は一側面に長さ方向に区分されて用意されることができる。このような、７個のセグメント６０の背面は上部のフレーム５８のような色相が塗布される。
【００２３】
これによって、各セグメント６０に用意された表示部５２の組合せにより望みのデジット及びアルファベットを表示することができるようになる。７個のセグメント６０の中で中央部に位するセグメント(６９Ａ)の中心部はセグメント(６９Ａ)を回転させるための羽部(６９Ｂ)が伸張される。この羽部(６９Ｂ)はセグメント(６９Ａ)を回転させるための工具が接触される。
【００２４】
ヒンジ５７はセグメント６０のそれぞれを開口部５１の単位区間に回転可能に結合させて独立的に回転可能するようにする。このような、ヒンジ５７はセグメント６０のそれぞれの長さ方向で貫いて組立される。一方、ヒンジ５７は各セグメント６０の側面から所定長さに突出されて形成されることができる。
【００２５】
このような、数字板４はまずフレーム５８の背面を上方へ向かうようにした後、フレーム５８に形成されたスリット６３に各セグメント６０のヒンジ５７を挟む。その後、フレーム５８の突起６１に突起溝６５が形成された補助フレーム６７を挿入する。これによって、各セグメント６０はフレーム５８のスリット６３に挟まれて補助フレーム６７により支持されることによって回転空間７３の内で回転可能になるように浮上された状態を維持する。このように補助フレーム６７の回転空間７３に浮上された状態の各セグメント６０は非表示部５４に接触される工具に押されることによって回転されることで手動的に数字及びアルファベットを表示することができる。
【００２６】
したがって、本発明の実施の形態に係る手動型の数字板４は各セグメント６０が３°〜８°で傾いて数字及びアルファベットを表示するから人間の認知特性を進めることができる。
【００２７】
図３及び図４を参照すると、本発明の実施の形態に係る手動型数字表示装置は全面にマトリックス形態に配置される多数の突起１４が形成されて背面に多数の組合せ用ボス(Boss:２８)がそれぞれ形成される多数の基本ボード(２a,２b,２c,２d)と、互いに異なる基本ボード(２a,２b,２c,２d)のそれぞれに形成されたボス２８に共通に結合されて基本ボード(２a,２b,２c,２d)を結合させるための多数の結合ブロック(１０,１６)と、基本ボード(２a,２b,２c,２d)の全面に形成された突起１４を通じて前記基本ボード(２a,２b,２c,２d)に着脱可能に結合されて全面に単位区間ごとに手動に回転される８セグメントがそれぞれ形成された多数の数字板４とを具備する。
【００２８】
突起１４は数字板４、後述されたリーブ(６,８,１８)及び空白ブロック１２と着脱可能に結合される。
ボス２８は多数の基本ボード(２a,２b,２c,２d)のそれぞれの背面の端にそれぞれ形成される。このような、ボス２８には基本ボード(２a,２b,２c,２d)のそれぞれを相互連結させるための結合ブロック(１０,１６)が着脱可能に結合される。
【００２９】
結合ブロック(１０,１６)は結合させるための基本ボード(２a,２b,２c,２d)の個数に沿って大結合ブロック１６及び小結合ブロック１０に区分される。
大結合ブロック１６は基本ボード(２a,２b,２c,２d)中、接した４個の基本ボード(２a,２b,２c,２d)を連結する場合に使われる。また、大結合ブロック１６は図示しない手動型数字表示装置を包装するためのケースに装着する場合に使われる。
このような、大結合ブロック１６は図５に図示されたところのように基準面４０から所定高さに突出された垂直面部３８及び垂直面部３８の末端を覆う水平面部３５を具備する。垂直面部３８は基準面４０で突出された「Ｔ」字形態の四角面体になる。このような、垂直面部３８の内部は大結合ブロック１６の重さを減らすために空隙とされる。
【００３０】
水平面部３５上には基本ボード(２a,２b,２c,２d)のそれぞれのボス２８に挿入される４個の原型溝(３０,３２,３４,３６)が形成される。また水平面部３５上には原型溝(３０,３２,３４,３６)に挿入された基本ボード(２a,２b,２c,２d)の流動を防止するために所定高さに突出された突起３７が形成される。この突起３７は基本ボード(２a,２b,２c,２d)の側面と対面される。
【００３１】
小結合ブロック１０は基本ボード(２a,２b,２c,２d)中、接した二つの基本ボード(２a,２b,２c,２d)を連結する場合に使われる。また、小結合ブロック１０は図示しない手動型数字表示装置を包装するためのケースに装着する場合に使われる。
【００３２】
このような、小結合ブロック１０は図６に図示されたところのように基準面４８で突出された垂直面部４６及び垂直面部４６の末端を覆う水平面部４５を具備する。
【００３３】
垂直面部４６の内部は小結合ブロック１０の重さを減らすために空隙とされる。水平面部４５上には基本ボード(２a,２b,２c,２d)のそれぞれのボス２８に挿入される２個の原型溝(４２,４４)が形成される。また、水平面部４５上には原型溝(４２,４４)に挿入された基本ボード(２a,２b,２c,２d)の流動を防止するために所定高さに突出された突起４７が形成される。この突起４７は基本ボード(２a,２b,２c,２d)の側面と対面される。このような、小結合ブロック１０は基準面４８で突出された「Ｌ」字形態になる。
【００３４】
このような、大結合ブロック１６及び小結合ブロック１０は４個の基本ボード(２a,２b,２c,２d)を相互連結させることによって組合せボード１００が構成されるようにする。一方、組合せボード１００の大きさは表示しようとする数字、アルファベットなどに沿って連結される基本ボード(２a,２b,２c,２d)の個数に沿って決まる。すなわち、組合せボード１００の大きさは表示しようとする数字、アルファベットなどに沿って変わる。
【００３５】
このように、４個の基本ボード(２a,２b,２c,２d)が連結された組合せボード１００の突起１４上には表示される数字及びアルファベットなどの文字列を表示するようになる。このために、本発明の実施の形態に係る手動型数字表示装置は基本ボード(２a,２b,２c,２d)及び多数の基本ボード(２a,２b,２c,２d)が組合された組合せボード１００の全面突起１４を通じて結合されて空白の平坦面を基本ボード(２a,２b,２c,２d)及び組合せボード１００上に形成する多数の空白ブロック１２と、基本ボード(２a,２b,２c,２d)及び多数の基本ボード(２a,２b,２c,２d)が組合された組合せボード１００の全面突起１４を通じて結合されて基本ボード(２a,２b,２c,２d)及び組合せボード１００内で垂直方向と水平方向を区画するための多数のリーブ(６,８,１８)をさらに具備する。
【００３６】
空白ブロック１２は図７に図示されたところのように空白の平坦面を持つ平板フレーム６８と、平板フレーム６８の背面６２に所定の間隔に形成された四角突出部６４と、四角突出部６４の背面に形成された多数のホール６６とを具備する。
【００３７】
平板フレーム６８の端は数字板４と同一な高さを持つように垂直するように所定角度に曲げられている。四角突出部６４は平板フレーム６８の背面６２で所定の高さに突出されて所定角度に曲げられた平板フレーム６８の高さより高くなる。このような、四角突出部６４は所定単位の群を成して形成される。例えば、平板フレーム６８の背面６２の両末端には一定距離を置いて３個の四角突出部６４が形成されて、他のところは５個ずつ群を成して形成される。
【００３８】
それぞれの四角突出部６４に形成された多数のホール６６は組合せボード１００上に形成された４個の突起１４に挿入される。
このような、空白ブロック１２は組合せボード１００のボード上に表示される数字板４の間に挿入されて文字列または数字列を区分するとか空白を表示するようになる。また、空白ブロック１２の平板フレーム６８には韓国語、日本語及び英語などの文字列が印刷した図示しない印刷物が付着して文字列を表示するようになる。
【００３９】
リーブ(６,８,１８)は基本ボード(２a,２b,２c,２d)及び多数の基本ボード(２a,２b,２c,２d)が組合された組合せボード１００の全面突起１４を通じて結合されて基本ボード(２a,２b,２c,２d)及び組合せボード１００内から垂直方向に区画するための水平リーブ１８と、基本ボード(２a,２b,２c,２d)及び多数の基本ボード(２a,２b,２c,２d)が組合された組合せボード１００の全面突起１４を通じて結合されて基本ボード(２a,２b,２c,２d)及び組合せボード１００内から垂直方向に区画するための垂直リーブ(６,８)とを具備する。
【００４０】
水平リーブ１８は図８に図示されたところのように所定の長さを持つ半円形態の頭部７２と、頭部７２で垂直するように伸張された垂直支持部７４と、垂直支持部７４の背面に形成される多数の溝７８とを具備する。
【００４１】
垂直支持部５４の頭部７２は数字板４及び空白ブロック１２の端を部分を覆うようになる。垂直支持部７４は空白ブロック１２及び数字板４の厚さと同一な厚さを持つ。それぞれの垂直支持部５４に形成された溝７８は組合せボード１００上に形成された突起１４に着脱可能に結合される。このような、垂直支持部５４は組合せボード１００の突起１４の結合の時に便宜性を提供するために頭部７２で等間隔に伸張される。
【００４２】
このような、水平リーブ１８は基本ボード(２a,２b,２c,２d)及び多数の基本ボード(２a,２b,２c,２d)が組合された組合せボード１００の全面突起１４を通じて結合されて基本ボード(２a,２b,２c,２d)及び組合せボード１００内から水平方向に区画するとか、数字板４及び空白ブロック１２の間を分割するようになる。
【００４３】
垂直リーブ(６,８)は基本ボード(２a,２b,２c,２d)及び多数の基本ボード(２a,２b,２c,２d)が組合された組合せボード１００の全面に形成された突起１４を通じて結合されて小区間単位で基本ボード(２a,２b,２c,２d)及び組合せボード１００内で垂直分割するための小区間垂直リーブ６と、基本ボード(２a,２b,２c,２d)及び多数の基本ボード(２a,２b,２c,２d)が組合された組合せボード１００の全面に形成された突起１４を通じて結合されて大区間単位で基本ボード(２a,２b,２c,２d)及び組合せボード１００内で垂直分割するための大区間垂直リーブ８とを具備する。
【００４４】
小区間垂直リーブ６は図９に図示されたところのように数字板４及び空白ブロック１２の縦大きさと同一な長さを持って、数字板４及び空白ブロック１２の厚さと同一な厚さを持つ。このような、小区間垂直リーブ６の背面には多数の溝８２が１列に形成されて組合せボード１００上に形成された突起１４に着脱可能に結合される。
【００４５】
このような、小区間垂直リーブ６は基本ボード(２a,２b,２c,２d)及び多数の基本ボード(２a,２b,２c,２d)が組合された組合せボード１００の全面突起１４を通じて結合されて基本ボード(２a,２b,２c,２d)及び組合せボード１００内から垂直方向に区画するとか、数字板４及び空白ブロック１２の間を分割するようになる。
【００４６】
大区間垂直リーブ８は図１０に図示されたところのように所定の長さを持つ半円形態の頭部９２と、頭部９２から所定の高さに伸張された垂直支持部９４と、垂直支持部９４の背面に１列に形成される多数の溝９６とを具備する。
【００４７】
垂直支持部９４の頭部９２は数字板４及び空白ブロック１２の端の部分を覆うようになる。垂直支持部９４は空白ブロック１２及び数字板４の厚さと同一な高さを持つ。それぞれの垂直支持部９４に形成された溝９６は組合せボード１００上に形成された突起１４に着脱可能に結合される。
【００４８】
このような、小区間垂直リーブ６は基本ボード(２a,２b,２c,２d)及び多数の基本ボード(２a,２b,２c,２d)が組合された組合せボード１００の全面突起１４を通じて結合されて基本ボード(２a,２b,２c,２d)及び組合せボード１００内から垂直方向に区画するとか、数字板４及び空白ブロック１２の間を分割するようになる。
【００４９】
このような本発明の実施の形態に係る手動型数字表示装置は小結合ブロック１０及び大結合ブロック１６により多数の基本ボード(２a,２b,２c,２d)が連結された組合せボード１００上の突起１４には数字またはアルファベットを表示するための数字板４と、文字列とアルファベットまたは空白を表示するための空白ブロック１２が挟まれる。これによって、組合せボード１００上には文字列と数字列が組合されて表示される。
【００５０】
このような、文字列と数字列は小区間垂直リーブ６と大区間垂直リーブ８により分割されて区分される。また、１列の文字列または数字列と次の列の文字列または数字列は水平リーブ１８により分割されて区分される。文字列と文字列の間に空白を表示する場合には空白ブロック１２が挿入される。または数字板４で表示することができない文字列またはアルファベットは表示しようとする文字列またはアルファベットを印刷物に印刷して空白ブロック１２上に付着することによって表示ができる。
【００５１】
このように、組合せボード１００上に表示される文字列または数字列は図１１に図示されたところのように表示される。
図１１を参照すると、一例で組合せボード１００上には空白ブロック１２及び数字板４を組み合わせて国家及び都市別航空料金が表示される。これを詳しくすると、まず国家名及び都市名を図示しない印刷物で印刷して空白ブロック１２上に付着する。
その後、国家名及び都市名が付着した空白ブロック１２を組合せボード１００上の一側部に挿入して配置して、国家名及び都市名が付着した空白ブロック１２と並んで多数の数字板４を配置する。すなわち、空白ブロック１２に印刷物を付着して韓国語、日本語、英語などの文字列を表示して、多数の数字板４の各セグメントを回転させて得られるデジットを組み合わせて数字列を表示する。この時、組合せボード１００上に表示される文字列と数字列の間には小区間垂直リーブ６または大区間垂直リーブ８が挿入されて文字列と数字列を区分することができる。また、文字列と数字列に組合される組合せボード１００上の水平列の間には水平リーブ１８が挿入されて水平列を区分する。
【００５２】
このように組合せボード１００上には国家名及び都市名が付着した空白ブロック１２と多数の数字板４を組み合わせて配置することによって国家別または都市別航空料金が表示される。
一方、組合せボード１００上にはガソリンスタンド料金表及びターミナルでのバス料金表などが表示される。
上述したところのように、本発明の実施の形態に係る手動型数字板は「８」セグメントを３°〜８°程度の勾配で傾けることによって人間の認知特性を進めることができる。
また、本発明の実施の形態に係る手動型数字表示装置は多数の基本ボードが結合された組合せボード上に数字及びアルファベットを表示するための手動型数字板と文字列を表示することと同時に空白を表示するための空白ブロックを配置することによって文字及び数字を易しく組み合わせて表示することができる。
以上説明した内容を通じて当業者であれば本発明の技術思想を逸脱しない範囲で多様な変更及び修正ができる。したがって、本発明の技術的範囲は明細書の詳細な説明に記載した内容に限定されるのではなく特許請求の範囲により決められなければならない。
【図面の簡単な説明】
【００５３】
【図１】本発明の実施の形態に係る手動型数字板を示す正面斜視図及び背面斜視図。
【図２】図１に図示された手動型数字板を示す分解斜視図。
【図３】本発明の実施の形態に係る手動型数字表示装置を示す斜視図。
【図４】図３に図示された手動型数字表示装置を示す分解斜視図。
【図５】図４に図示された大結合ブロックを示す正面斜視図及び背面斜視図。
【図６】図３に図示された小結合ブロックを示す正面斜視図及び背面斜視図。
【図７】図３に図示された空白ブロックを示す斜視図。
【図８】図３に図示された水平リーブを示す正面斜視図及び背面斜視図。
【図９】図３に図示された小区間垂直リーブを示す正面斜視図及び背面斜視図。
【図１０】図３に図示された大区間垂直リーブを示す正面斜視図及び背面斜視図。
【図１１】本発明の実施の形態に係る手動型数字表示装置を示す平面図。
【符号の説明】
【００５４】
４…数字板、５８…フレーム、５１…開口部、６０…セグメント、５７…ヒンジ、２ａ，２ｂ，２ｃ，２ｄ…基本ボード、１４…突起、２８…ボス、１０…小結合ブロック、１６…大結合ブロック、１２…空白ブロック、６…小区間垂直リーブ、８…大区間垂直リーブ、１８…水平リーブ、１００…組合せボード
【図１】
2005527860.tif 000003
【図２】
2005527860.tif 000004
【図３】
2005527860.tif 000005
【図４】
2005527860.tif 000006
【図５】
2005527860.tif 000007
【図６】
2005527860.tif 000008
【図７】
2005527860.tif 000009
【図８】
2005527860.tif 000010
【図９】
2005527860.tif 000011
【図１０】
2005527860.tif 000012
【図１１】
2005527860.tif 000013
【国際調査報告】
2005527860.tif 000014
2005527860.tif 000015